(57)【要約】      （修正有）【課題】掛け布団を使用した時に、首とか肩口に隙間が出来る又、コタツの掛け布団を使用した時は、腰のまわりに隙間ができるふりふり毛布を提供する。【解決手段】掛け布団５などは、一体物なので急に垂れ下がる事が出来ないので、その端に切り込みを入れたふりふり毛布１０を取付けることによりそのふりふり毛布１０が垂れ下がり首とか肩口の隙間をふさぐ事が出来る。又コタツの掛け布団７も同様にまわりに、ふりふり毛布１０を取付け腰のまわりに、垂れ下がることにより、この課題を解決する。 【選択図】図３
0003143242.tif 000002
【実用新案登録請求の範囲】
【請求項１】
掛け毛布や、掛け布団や、コタツの掛け布団あるいは、それらのカバーなどの首・肩口・腰に当たる所に、のれんとか、すだれとか、ふりふりとか、切り込みが付いた物を取り付けそれを、垂れ下がらせることにより首、肩口、腰のまわりの隙間を覆い、外気に触れないよう遮断して保温効果をたかめるしくみを特徴とする。（このしくみを、ふりふり毛布と言う）
【請求項２】
ふりふり毛布は、取り外しもできる、着脱式にすることを特徴とする。
1
【考案の詳細な説明】
【技術分野】
【０００１】
本考案は、毛布、布団に関するものである。
【背景技術】
【０００２】
従来の掛け毛布、掛け布団、コタツの掛け布団などを使用した時は、首、肩口、腰のまわりに、隙間ができ外気に触れているので保温効果がなく、冷えて寒い。
【特許文献１】特開２００７−１９０１２３
【考案の開示】
【考案が解決しようとする課題】
【０００３】
隙間を無くし外気に触れるところを少なくして、保温効果をたかめる。
【課題を解決するための手段】
【０００４】
掛け毛布、掛け布団の首、肩口に当たる部分と、それにコタツの掛け布団の腰まわりに当たる部分に、切り込みを入れて細長くした、のれんとか、すだれとかのように、ふりふりして、垂れ下がる物を取付け隙間を少なくして外気に触れないようにする。
【考案の効果】
【０００５】
掛け毛布、掛け布団の首、肩口と、コタツの掛け布団の腰まわりの隙間を、手で押さえなくてもふりふり部が、垂れ下がり隙間を少なくするので保温効果が良い。
【考案を実施するための最良の形態】
【０００６】
本考案に係るふりふり毛布１０は、基本的には二重構造にして、内側のふりふり毛布１と、外側のふりふり毛布２からなり、首とか肩口に当たる部分に、内側のふりふり毛布の切り込み３、と外側のふりふり毛布の切り込み４を入れ一体物から、のれんとか、すだれとか、ふりふりする物（掛毛布、掛け布団で使用する時は、長さ＝１０ｃｍ位・幅＝２ｃｍ位・コタツの掛け布団で使用する時は、長さ＝２０ｃｍ位・幅＝２ｃｍ位）を垂れ下がるようにした物である。そのため手で、毛布、布団を押さえなくても首とか肩口とか腰などに絡みつき隙間を少なくし、保温効果を保つ構造にする。内側のふりふり毛布の切り込み１と、外側のふりふり毛布の切り込み２の位置は半分ずらすようにする。そして掛け毛布、掛け布団に取付ける場合は首とか肩口にあたる処全体にふりふり毛布１０を取付ける又、コタツの掛け布団５に取付ける場合は、掛け布団の端の腰にあたる所全体に、ふりふり毛布１０を取付け使用する。それらは、そのまま布団に取付けもよし又、布団カバーに取付けて使用してもよい。（毛布地の場合は、切り込みを入れるだけで使用できる。）
２
【図面の簡単な説明】
【０００７】
【図１】本考案に係るふりふり毛布の平面図である。
【図２】本考案に係るふりふり毛布を、掛け布団に取付けて垂れ下がった状態を表す断面            図である。
【図３】本考案に係るふりふり毛布を、掛け布団に取付け使用した状態の図である。
【図４】本考案に係るふりふり毛布を、コタツの掛け布団に取付け使用した状態の図であ        る。
【符号の説明】
【０００８】
１      内側のふりふり毛布。
２      外側のふりふり毛布。
３      内側のふりふり毛布の切り込み。
４      外側のふりふり毛布の切り込み。
５      掛け布団。
６      敷き布団。
７      コタツの掛け布団。
８      人体。
９      台。
１０    ふりふり毛布。
１１    着脱布。
１
【図１】
0003143242.tif 000003
【図２】
0003143242.tif 000004
【図３】
0003143242.tif 000005
【図４】
0003143242.tif 000006
【手続補正書】
【提出日】平成20年5月12日(2008.5.12)
【手続補正１】
【補正対象書類名】実用新案登録請求の範囲
【補正対象項目名】全文
【補正方法】変更
【補正の内容】
【実用新案登録請求の範囲】
【請求項１】
掛け毛布や、掛け布団や、コタツの掛け布団あるいは、それらのカバーなどの首・肩口・腰に当たる所に、のれんとか、すだれとか、ふりふりとか、切り込みが付いた物を取り付けそれを、垂れ下がらせることにより首、肩口、腰のまわりの隙間を覆い、外気に触れないよう遮断して保温効果をたかめるしくみを特徴とするふりふり毛布。
【請求項２】
のれんとか、すだれとか、ふりふりとか、切り込みが付いた物を、取付け、取り外
しもできる、着脱式にすることを特徴とする請求項１記載のふりふり毛布。
【手続補正２】
【補正対象書類名】明細書
【補正対象項目名】全文
【補正方法】変更
【補正の内容】
【考案の詳細な説明】
【技術分野】
【０００１】
本考案は、毛布、布団あるいは、これらのカバーなどに関するものである。
【背景技術】
【０００２】
従来の掛け毛布、掛け布団、コタツの掛け布団などを使用した時は、首、肩口、腰のまわりに、隙間ができ外気に触れているので保温効果がなく、冷えて寒い。
【特許文献１】特開２００４−１１３２８０
【考案の開示】
【考案が解決しようとする課題】
【０００３】
隙間を無くし外気に触れるところを少なくして、保温効果をたかめる。
【課題を解決するための手段】
【０００４】
掛け毛布、掛け布団の首、肩口に当たる部分と、それにコタツの掛け布団の腰まわりに当たる部分に、切り込みを入れて細長くした、のれんとか、すだれとかのように、ふりふりして、垂れ下がる物（これをふりふり毛布と言う）を取付け隙間を少なくして外気に触れないようにする。
【考案の効果】
【０００５】
掛け毛布、掛け布団の首、肩口と、コタツの掛け布団の腰まわりの隙間を、手で押さえなくてもふりふり部が、垂れ下がり隙間を少なくするので保温効果が良い。
【考案を実施するための最良の形態】
【０００６】
本考案に係るふりふり毛布１０の、ふりふり部は一重でも多重構造でもよいが、基本的には二重構造にして、内側のふりふり毛布１と、外側のふりふり毛布２からなり、首とか肩口に当たる部分に、内側のふりふり毛布に切り込み３、と外側のふりふり毛布に切り込み４を入れ一体物から、のれんとか、すだれとか、ふりふりする物（掛毛布、掛け布団で使用する時は、長さ＝１０ｃｍ位・幅＝２ｃｍ位・コタツの掛け布団で使用する時は、長さ＝２０ｃｍ位・幅＝２ｃｍ位）を垂れ下がるようにした物である。そのため手で、毛布、布団を押さえなくても首とか肩口とか腰などに絡みつき隙間を少なくし、保温効果を保つ構造にする。内側のふりふり毛布の切り込み３と、外側のふりふり毛布の切り込み４の位置は半分ずらすようにする。そして掛け毛布、掛け布団に取付ける場合は首とか肩口にあたる処全体にふりふり毛布１０を取付ける。又、コタツの掛け布団７に取付ける場合は、掛け布団の端の腰にあたる所全体に、ふりふり毛布１０を取付け使用する。それらは、そのまま布団に取付けてもよし又、布団カバーに取付けて使用してもよい。
【図面の簡単な説明】
【０００７】
【図１】本考案に係るふりふり毛布の、平面図である。
【図２】本考案に係るふりふり毛布を、掛け布団に取付けた状態を表す縦断面図である。
【図３】本考案に係るふりふり毛布を、掛け布団に取付け使用した状態の図である。
【図４】本考案に係るふりふり毛布を、コタツの掛け布団に取付け使用した状態の図であ        る。
【符号の説明】
【０００８】
１      内側のふりふり毛布。
２      外側のふりふり毛布。
３      内側のふりふり毛布の切り込み。
４      外側のふりふり毛布の切り込み。
５      掛け布団。
６      敷き布団。
７      コタツの掛け布団。
８      人体。
９      台。
１０    内側と外側の二重のふりふり毛布。
１１    着脱布。
【手続補正３】
【補正対象書類名】図面
【補正対象項目名】全図
【補正方法】変更
【補正の内容】
【図１】
0003143242.tif 000007
【図２】
0003143242.tif 000008
【図３】
0003143242.tif 000009
【図４】
0003143242.tif 000010